(57)【要約】      （修正有）【課題】複数の個包装体が梱包されている梱包箱等の外箱の輸送中において、医薬品情報付与ラベルシートの汚れ又は剥がれを防止するとともに、ラベル部を容易に個包装体に貼り付けることができる医薬品情報付与ラベルシートを提供する。【解決手段】医薬品情報付与ラベルシート１は、離型シート１３ｂ上に、表面側に医薬品に関する情報１２ａが付され裏面側に第１粘着層１４ａが形成されているラベル基材１２が配置され、ラベル基材上に、裏面側に第２粘着層１４ｃが形成されている透明表面保護フィルム１０が配置されている。離型シートには第１切離線１２ｃと平面視で重ならない位置に、少なくとも２本の第２切離線１３ｃが形成されている。また、ラベル基材及び離型シートを積層状態のまま切断可能な第３切離線１５ａ、１５ｂが、平面視でラベル部と第２切離線との間に形成されている。【選択図】図１
0003200357.tif 000002
【実用新案登録請求の範囲】
【請求項１】
離型シート上に、表面側に医薬品に関する情報が付され裏面側に第１粘着層が形成されているラベル基材が配置され、前記ラベル基材上に、裏面側に第２粘着層が形成されている透明表面保護フィルムが配置されている、医薬品情報付与ラベルシートであって、
前記ラベル基材は、前記情報が付されているラベル部と、その外周部と、が第１切離線で区画されており、
前記離型シートは、平面視で前記医薬品情報付与ラベルシートの中央部と両端部を区画する位置であって、かつ、前記第１切離線と平面視で重ならない位置に、少なくとも２本の第２切離線が形成されており、
前記ラベル基材から前記離型シートまでを積層状態のまま切断可能な第３切離線が、平面視で前記ラベル部と前記第２切離線との間に形成されている、医薬品情報付与ラベルシート。
【請求項２】
前記第３切離線は、前記第２切離線に沿って略並行に形成されている、請求項１に記載の医薬品情報付与ラベルシート。
【請求項３】
前記ラベル基材の最表面には易剥離層が形成されている、請求項１又は２に記載の医薬品情報付与ラベルシート。
【請求項４】
前記離型シートと前記ラベル基材との間に、裏面側に第３粘着層が形成されている第２離型シートが配置されている、請求項１から３のいずれかに記載の医薬品情報付与ラベルシート。
【請求項５】
前記透明表面保護フィルムがポリプロピレンフィルムである、請求項１から４のいずれかに記載の医薬品情報付与ラベルシート。
【請求項６】
前記ラベル基材は、複数の前記ラベル部が平面的に並んで配置されている請求項１から５のいずれかに記載の医薬品情報付与ラベルシート。
【請求項７】
請求項１から６のいずれかに記載の医薬品情報付与ラベルシートから、前記第２切離線にて前記両端部の離型シートが剥離された状態で、露出された前記両端部の前記第１粘着層が医薬品包装体に貼着されている医薬品情報付与ラベルシート付の医薬品包装体。
【考案の詳細な説明】
【技術分野】
【０００１】
本考案は、医薬品に関する情報が印刷された医薬品情報付与ラベルシート及び医薬品情報付与ラベルシートが貼着されている医薬品包装体に関する。
【背景技術】
【０００２】
医薬品に関する情報などが印刷されている医薬品情報付与ラベルシートが知られている。
【０００３】
医薬品に関する情報とは、医薬品の製造販売業者、医薬品の名称、製造番号又は製造記号等の医薬品の情報である。薬事法により、医薬品には医薬品の容器や包装体に医薬品に関する情報を記載しなければならない旨規定されている。
【０００４】
例えば、医薬品が個包装され、更に、複数の個包装体を梱包箱等の外箱に収容する、いわゆる二重包装形態の場合、印刷などによる個別の個包装体への事前の情報付与が困難な場合がある。この場合、図８に示すように、外箱２０にラベルシートを張っておく。このラベルシートは、図７のように医薬品に関する情報が印刷された複数（通常は外箱内に収容する個包装体の数分）のラベルで構成されており、薬剤師等が必要な段階でラベルシートからラベルを剥離して、個包装体に粘着することにより貼着する。この場合、外箱の輸送中に医薬品情報付与ラベルシートが汚れ、又は剥がれが生じた場合、当該ラベルシートは医薬品に関する情報を表示するラベルシートとして機能しないこととなる。また、ラベルは小さく扱い難いのでラベルシートから容易に剥がすことが求められる。
【先行技術文献】
【特許文献】
【０００５】
【特許文献１】特開平７−２３４６３４号公報
【考案の概要】
【考案が解決しようとする課題】
【０００６】
特許文献１の表面保護用ラベルは、あらかじめ表示された情報上に、転写によって透明な表面保護層を設けるものであり、上記のように、ラベルシートからラベルを剥がして個包装体上に貼り付けるようなケースにおいては、そのまま適用することができない。
【０００７】
本考案の目的は、包装体付医薬品が梱包されている外箱の輸送中において発生し得る医薬品情報付与ラベルシートの汚れ又は剥がれを防止するとともに、ラベルシートからラベルを容易に剥がして包装体上に貼り付けることができる医薬品情報付与ラベルシートを提供することである。
【課題を解決するための手段】
【０００８】
本考案者らは、上記課題を解決すべく鋭意検討した結果、下記の構成により上記の課題を解決できることを見出し、本考案を完成するに至った。具体的には、本考案は以下のものを提供する。
【０００９】
（１）  離型シート上に、表面側に医薬品に関する情報が付され裏面側に第１粘着層が形成されているラベル基材が配置され、前記ラベル基材上に、裏面側に第２粘着層が形成されている透明表面保護フィルムが配置されている、医薬品情報付与ラベルシートであって、
前記ラベル基材は、前記情報が付されているラベル部と、その外周部と、が第１切離線で区画されており、
前記離型シートは、平面視で前記医薬品情報付与ラベルシートの中央部と両端部を区画する位置であって、かつ、前記第１切離線と平面視で重ならない位置に、少なくとも２本の第２切離線が形成されており、
前記ラベル基材から前記離型シートまでを積層状態のまま切断可能な第３切離線が、平面視で前記ラベル部と前記第２切離線との間に形成されている、医薬品情報付与ラベルシート。
【００１０】
（２）  前記第３切離線は、前記第２切離線に沿って略並行に形成されている、（１）に記載の医薬品情報付与ラベルシート。
【００１１】
（３）  前記ラベル基材の最表面には易剥離層が形成されている、（１）又は（２）に記載の医薬品情報付与ラベルシート。
【００１２】
（４）  前記離型シートと前記ラベル基材との間に、裏面側に第３粘着層が形成されている第２離型シートが配置されている、（１）から（３）のいずれかに記載の医薬品情報付与ラベルシート。
【００１３】
（５）  前記透明表面保護フィルムがポリプロピレンフィルムである、（１）から（４）のいずれかに記載の医薬品情報付与ラベルシート。
【００１４】
（６）  前記ラベル基材は、複数の前記ラベル部が平面的に並んで配置されている（１）から（５）のいずれかに記載の医薬品情報付与ラベルシート。
【００１５】
（７）  （１）から（６）のいずれかに記載の医薬品情報付与ラベルシートから、前記第２切離線にて前記両端部の離型シートが剥離された状態で、露出された前記両端部の前記第１粘着層が医薬品包装体に貼着されている医薬品情報付与ラベルシート付医薬品包装体。
【考案の効果】
【００１６】
本考案の医薬品情報付与ラベルシートは、医薬品が梱包された梱包箱等の外箱の輸送中における医薬品情報付与ラベルシートの汚れ又は剥がれに起因する医薬品に関する情報の消失を防止するするとともに、ラベルシートからラベルを剥がして容易に包装体上に貼り付けることができる医薬品情報付与ラベルシートである。
【図面の簡単な説明】
【００１７】
【図１】本考案の一実施形態の医薬品情報付与ラベルシートの一部分を示す断面図（図７中のＡ−Ａの断面）である。
【図２】図１に係る本考案の一実施形態の医薬品情報付与ラベルシートを外箱に貼着したときの一部分を示す断面図（図７中のＡ−Ａの断面）である。
【図３】図２に係る本考案の一実施形態の医薬品情報付与ラベルシートから透明表面保護フィルムを剥離したときの一部分を示す断面図（図７中のＡ−Ａの断面）である。
【図４】図３の状態から切り取り部１５を切り取った状態を示す断面図（図７中のＡ−Ａの断面）である。
【図５】図４の状態からラベル部１２ａを剥がす状態を示す断面図（図７中のＡ−Ａの断面）である。
【図６】本考案の一実施形態の医薬品情報付与ラベルシートの易剥離層付ラベルを包装体に貼着したときの断面図である。
【図７】図１の医薬品情報付与ラベルシートの平面図である。
【図８】図２の状態における、本考案の医薬品情報付与ラベルシート付医薬品包装体の概略斜視図である。
【図９】図４の状態における、本考案の医薬品情報付与ラベルシート付医薬品包装体の概略斜視図である。
【図１０】図５の状態における、本考案の医薬品情報付与ラベルシート付医薬品包装体の概略斜視図である。
【図１１】図６の状態における、本考案の医薬品情報付与ラベルシートを貼着した医薬品個包装体の概略斜視図である。
【考案を実施するための形態】
【００１８】
以下、本考案の医薬品情報付与ラベルシート及びその好ましい一実施形態について、図面を参照しながら詳細に説明する。なお、下記の実施形態は、本考案の例示であり、本考案は下記の実施形態に何ら限定されるものではなく、下記の実施形態から適宜変更をして実施することができる。
【００１９】
＜医薬品情報付与ラベルシートの構成＞
本考案の医薬品情報付与ラベルシートについて説明する。本考案の医薬品情報付与ラベルシートは、上側から、少なくとも、透明表面保護フィルムと、ラベル基材と、離型シートと、がこの順に配置されている積層体である。なお、この順に積層とは、他の層が間に配置されることも許容する意味である。
【００２０】
本考案の医薬品情報付与ラベルシートの一実施形態について図１を用いて説明する。図１は、本考案の一実施形態の医薬品情報付与ラベルシートの一部分を示す断面図である。図１の医薬品情報付与ラベルシート１は、医薬品情報付与ラベルシートの表面側から（図１の上側から）、透明表面保護フィルム１０と透明表面保護フィルム１０の裏面側に形成される第２粘着層１４ｃと（本考案の透明表面保護フィルムに相当）、易剥離層１１とラベル基材１２と第１粘着層１４ａと（本考案のラベル基材に相当）、第２離型シート１３ａと第２離型シート１３ａの裏面側に形成される第３粘着層１４ｃと（本考案の第２離型シートに相当）、離型シート１３ｂと（本考案の離型シートに相当）、が配置されている。
【００２１】
本考案においては、第２離型シートは必ずしも必須でなく、離型シート１３ｂ上にラベル基材が配置されていてもよい。
【００２２】
図７は、本考案の医薬品情報付与ラベルシートの一実施形態を表した平面概略図である。図７の医薬品情報付与ラベルシートは、坐薬用の医薬品情報付与ラベルシートである。透明表面保護フィルムと易剥離層は、透明またはそれに近い材質で形成されているためラベル基材１２を目視により視認することができる構成である。図５において、バーコードや「製品ＡＡ坐薬５０ｍｇ」等の記載は、医薬品に関する情報１２ｄである。ラベル基材１２は、医薬品に関する情報１２ｄが付されたラベル部１２ａとその外周部１２ｂとが第１切離線１２ｃによって区画されている。
【００２３】
また、図７に示すように、本考案の医薬品情報付与ラベルシートは、複数のラベル部が平面的に並んで配置されているラベル基材を備える医薬品情報付与ラベルシートであることが好ましい。外箱に包装体によって包装された医薬品がロット等ごとに複数梱包されていた場合であっても一枚の医薬品情報付与ラベルシートとすることができるためである。この場合、複数の第１切離線１２ｃが存在することになる。
【００２４】
＜第２切離線の構成＞
図１及び図７を併せて参照すると、離型シート１３ｂは、平面視でラベル基材１２より大きい。また、離型シート１３ｂには、その中央部１３ｂ２と、両端部１３ｂ１及び１３ｂ３を区画するための第２切離線１３ｃ、１３ｄが直線上に形成されている。これによって、両端部１３ｂ１及び１３ｂ３を剥離して中央部１３ｂ２を残すことで、後述のように第３粘着層１４ｂを両端部に露出させることができる。
【００２５】
この第２切離線１３ｃ、１３ｄは、少なくとも２本あればよく、また、第２切離線１３ｃ、１３ｄは、第１切離線と平面視で重ならない位置に形成されていればよい。
【００２６】
＜第３切離線の構成＞
図１及び図７に示すように、ラベル基材から前記離型シートまでを積層状態のまま切断可能な第３切離線１５ａ、１５ｂが、平面視でラベル部と第２切離線との間に形成されている。これにより、２本の第３切離線１５ａ、１５ｂ間に切り取り部１５が形成される。
【００２７】
第３切離線は１本でもよく、２本以上であってもよい。ただし、ラベル部と第２切離線との間に形成されている必要がある。
【００２８】
［透明表面保護フィルム］
透明表面保護フィルムとは、その裏面に配置されるラベル基材等の表面を保護するフィルムである。透明表面保護フィルムが医薬品情報付与ラベルシートの最表面に配置されることで、外箱の輸送中においても医薬品情報付与ラベルシートが汚れ、又は剥がれに起因する医薬品に関する情報の消失を防止することができる。
【００２９】
透明表面保護フィルムは、ラベル基材を視認できる程度に透明またはそれに近い材質であり、かつ医薬品情報付与ラベルシートを保護することができるフィルムであれば特に制限されない。例えば、ポリエチレンテレフタレートフィルム、ポリエチレンフィルム、ポリプロピレンフィルム等を好ましく用いることができる。コスト面、耐久性及び柔軟性等の観点からポリプロピレンフィルムを用いることが特に好ましい。
【００３０】
［ラベル基材］
ラベル基材とは、医薬品に関する情報が付されているラベル部を含むラベルの基材である。ラベル基材は主としてラベル部と外周部とからなる。ラベル部には、表面側に医薬品に関する情報が付されている。さらに、ラベル部と外周部とは切取線によって区画されている。ラベル基材としては従来公知の紙基材等が用いられる。
【００３１】
本考案の医薬品情報付与ラベルシートには、表面に透明表面保護フィルム及び易剥離層が配置されているため、医薬品に関する情報が直接最表面に晒されていない。そのため、医薬品情報付与ラベルシートの汚れやラベル部の剥がれに起因して医薬品に関する情報が消失することはない。
【００３２】
［易剥離層］
易剥離層は、主に透明表面保護フィルムの裏面側に密着形成されている第２粘着層との接着を防止する機能を有する層である。易剥離層は、図１の医薬品情報付与ラベルシートにおいてはラベル基材の略全面に形成されている。易剥離層１１と第１粘着層１４ａとが剥離可能な構成であるため、透明表面保護フィルム１０を剥離した場合に、易剥離層１１と第１粘着層１４ａとの界面で剥離することができる。
【００３３】
易剥離層は、ラベル基材を視認できる程度に透明またはそれに近い材質であり、第１粘着層との粘着を防止する機能を有する層であれば特に制限されない。例えば、従来公知の粘着剤が剥離しやすくなるような成分を含む剥離ニス等により形成された層であればよい。剥離ニスをラベル基材上に塗布し、乾燥させることで易剥離層を形成することができる。
【００３４】
図８は、図７の医薬品情報付与ラベルシートから透明表面保護フィルムを剥離したときの概略図である。図７の医薬品情報付与ラベルシートのラベル部１２ａには、易剥離層１１が全面に形成されている。そのため、透明表面保護フィルムを剥離した場合であっても、ラベル部１２ａが透明表面保護フィルムに追随して剥離されることはない。
【００３５】
［粘着層］
粘着層とは、各層を剥離可能に粘着する機能を有する層である。粘着層を形成することのできる粘着剤としては、塗布形成が容易な従来公知の水性エマルジョン糊などを用いることができ特に限定されない。粘着剤の塗布量としては３ｇ／ｍ２以上４ｇ／ｍ２以下であることが好ましい。
【００３６】
粘着層は、透明表面保護フィルムの裏面側に密着形成されている第１粘着層と、ラベル基材の裏面側に密着形成されている第２粘着層である。また、必要に応じて、第２離型シートの裏面側に、更に第３粘着層を設けてもよい。
【００３７】
＜医薬品情報付与ラベルシートの一使用態様＞
次に、本考案の医薬品情報付与ラベルシートの一使用態様を説明する。まず、図１の医薬品情報付与ラベルシート１のうち、離型シート１３ｂの両端部の１３ｂ１と１３ｂ３を、第２切離線１３ｃ、１３ｄを起点にして剥離し、中間部１３ｂ２を残す。これによって、両端部の１３ｂ１と１３ｂ３に相当する第３粘着層１４ｂが両端に露出するので、図２（図８も参照）に示すように、医薬品が梱包された外箱に貼着することができる。透明表面保護フィルム１０が医薬品情報付与ラベルシート１の最表面に配置されることで、仮に外箱に医薬品情報付与ラベルシートが貼着されている状態においても、外箱の輸送中においても医薬品情報付与ラベルシート１が汚れ又は剥がれに起因する医薬品に関する情報１２ｄの消失を防止することができる。
【００３８】
なお、その後、図３に示すように、透明表面保護フィルム１０及び第３粘着層１４ｃを剥離して図８の状態となる。
【００３９】
次に、図４、図９に示すように、第３切離線１５ａ、１５ｂを切断して、切り取り部１５を切り取る。このとき、中間部１３ｂ２の離型シートが残っており、両端部１３ｂ３があった位置は露出した第３粘着層１４ｂによって外箱に固着されている。このために、図４や図９に示すように、切り取り部１５側のラベルシートの端部が外箱から浮く。
【００４０】
図５、図１０に示すように、この浮きによって、医薬品情報付与ラベルシート１に自由端が生じて、手で簡単に反らせたり曲げたりできるので、医薬品情報付与ラベルシート１から易剥離層付ラベル１００を容易に剥がすことができ、図１１に示すように、医薬品個包装体３０上に確実に貼ることができる。易剥離層付ラベル１００は、ラベルの幅が１０ミリ以下という小さいものであり、外箱に平面的に固定した状態からはうまく剥離できなかったが、本考案によれば、小さいラベル片であっても確実に剥がすことが可能となるのである。
【００４１】
図１１に本考案の一実施形態の易剥離層付ラベル１００を包装体に貼着したときの断面図を示す。図４は、易剥離層付ラベルを第１離型シートから剥離させ、医薬品個包装体３０に貼着したときの断面図である。また、図４の易剥離層付ラベル１００の使用状態を表す概略図を図９に示す。
【００４２】
易剥離層付ラベル１００には易剥離層１１が備えられている。そのため、医薬品個包装体３０に貼着した後においてもラベル部１２ａの表面に付されている医薬品に関する情報１２ｄが易剥離層１１によって保護されている。このため、本実施形態の医薬品情報付与ラベルシートは、ラベル部を包装体に貼り付けた後においてもラベルに付された医薬品に関する情報を保護することができる医薬品情報付与ラベルシートである。
【００４３】
以上より、本考案の医薬品情報付与ラベルシートは、複数の医薬品個包装体が梱包されている外箱の輸送中において、医薬品情報付与ラベルシートの汚れ又は剥がれを防止するするとともに、ラベル部を容易に包装体に貼り付けることができる。
【符号の説明】
【００４４】
１        医薬品情報付与ラベルシート
１０      透明表面保護フィルム
１１      易剥離層
１２      ラベル基材
１２ａ    ラベル部
１２ｂ    外周部
１２ｃ    第１切離線
１２ｄ    医薬品に関する情報
１３ａ    第２離型シート
１３ｂ    離型シート
１３ｃ    第２切離線
１３ｄ    第２切離線
１４      粘着層
１４ａ    第１粘着層
１４ｃ    第２粘着層
１４ｂ    第３粘着層
１５      切り取り部
１５ａ    第３切離線
１５ｂ    第３切離線
２０      外箱
３０      医薬品個包装体
１００    易剥離層付ラベル
【図１】
0003200357.tif 000003
【図２】
0003200357.tif 000004
【図３】
0003200357.tif 000005
【図４】
0003200357.tif 000006
【図５】
0003200357.tif 000007
【図６】
0003200357.tif 000008
【図７】
0003200357.tif 000009
【図８】
0003200357.tif 000010
【図９】
0003200357.tif 000011
【図１０】
0003200357.tif 000012
【図１１】
0003200357.tif 000013